(57)【要約】【課題】少ない労力で、かつ、時間を掛けずに剪定作業を行える植木剪定装置を提供する。【解決手段】左右方向走行自在の搬送手段３と、搬送手段３に搭載された一対の支柱１，１と、支柱１，１に上下位置調整自在に保持される取付手段１０とを、備え、櫛状刃部１６を突出状に有する動力付き刈払機５を、取付手段１０に保持させ、取付手段１０は、刈払機５を回動自在とし櫛状刃部１６が前後方向水平軸心Ｌ廻りに揺動操作可能とされた植木側面剪定用の縦伐使用状態と、刈払機５を固定し櫛状刃部１６が前方水平突出状に保持された植木上面剪定用の横伐使用状態とに、切替可能として構成されている。【選択図】図１
2015029459.tif 000002
【特許請求の範囲】
【請求項１】
左右方向走行自在の搬送手段（３）と、該搬送手段（３）に搭載された一対の支柱（１）（１）と、上記支柱（１）（１）に上下位置調整自在に保持される取付手段（１０）とを、備え、櫛状刃部（１６）を突出状に有する動力付き刈払機（５）を、上記取付手段（１０）に保持させ、
上記取付手段（１０）は、上記刈払機（５）を回動自在とし上記櫛状刃部（１６）が前後方向水平軸心（Ｌ）廻りに揺動操作可能とされた植木側面剪定用の縦伐使用状態と、上記刈払機（５）を固定し上記櫛状刃部（１６）が前方水平突出状に保持された植木上面剪定用の横伐使用状態とに、切替可能として構成されたことを特徴とする植木剪定装置。
【請求項２】
上記支柱（１）（１）は、上記搬送手段（３）に前後位置調整自在として保持されている請求項１記載の植木剪定装置。
【請求項３】
上記支柱（１）（１）を支持する傾倒防止用の傾斜状フレーム体（２）を有し、該傾斜状フレーム体（２）は、長さ寸法調節自在として構成されている請求項１又は２記載の植木剪定装置。
【請求項４】
上記取付手段（１０）は、上記支柱（１）（１）を挟持する一対の板部材（７Ａ）（７Ｂ）と、前方の板部材（７Ａ）に取着される回転盤（８）と、上記刈払機（５）を保持する枠体（９）とを、有し、
縦伐使用状態では、上記枠体（９）を上記回転盤（８）に取着して上記刈払機（５）を回動自在に保持させ、横伐使用状態では、上記枠体（９）を上記支柱（１）（１）に取着して上記刈払機（５）を固定して保持させるように構成されている請求項１，２又は３記載の植木剪定装置。
【発明の詳細な説明】
【技術分野】
【０００１】
本発明は、植木剪定装置に関する。
【背景技術】
【０００２】
従来、植木の剪定には、エンジン等の駆動部が内蔵された手持ち式の刈払機が使用されている（特許文献１参照）。
【先行技術文献】
【特許文献】
【０００３】
【特許文献１】特開２０１２−４４８８２号公報
【発明の概要】
【発明が解決しようとする課題】
【０００４】
しかし、特許文献１記載の刈払機は、作業者が両手でハンドル部を持って全体の重量を支持する必要があり、エンジン等の駆動部の重量が大きい為、刃部を上下左右に振って植木を剪定する作業の負担が大きく、すぐに疲れて思うように作業が進まないという欠点があった。例えば、高速道路の中央分離帯や道路側面、あるいは、工場の垣根等には、高い壁を形成するように長い距離にわたって連続して植木が形成されており、剪定作業に多大な労力と時間を要していた。また、人手による剪定作業では、植木の側面及び上面にデコボコを形成することなく平面状に刈るのが難しかった。
【０００５】
背の高い植木の上面を剪定する際に、作業者は脚立に乗って作業を行うので、両手でハンドル部を持っていると脚立に登るのが至難であり、作業中の転落の危険性も高かった。
【０００６】
そこで、本発明は、少ない労力で、かつ、時間を掛けずに剪定作業を行える植木剪定装置を提供することを目的とする。
【課題を解決するための手段】
【０００７】
本発明に係る植木剪定装置は、左右方向走行自在の搬送手段と、該搬送手段に搭載された一対の支柱と、上記支柱に上下位置調整自在に保持される取付手段とを、備え、櫛状刃部を突出状に有する動力付き刈払機を、上記取付手段に保持させ、上記取付手段は、上記刈払機を回動自在とし上記櫛状刃部が前後方向水平軸心廻りに揺動操作可能とされた植木側面剪定用の縦伐使用状態と、上記刈払機を固定し上記櫛状刃部が前方水平突出状に保持された植木上面剪定用の横伐使用状態とに、切替可能として構成されたものである。
【０００８】
また、上記支柱は、上記搬送手段に前後位置調整自在として保持されているものである。
また、上記支柱を支持する傾倒防止用の傾斜状フレーム体を有し、該傾斜状フレーム体は、長さ寸法調節自在として構成されているものである。
また、上記取付手段は、上記支柱を挟持する一対の板部材と、前方の板部材に取着される回転盤と、上記刈払機を保持する枠体とを、有し、縦伐使用状態では、上記枠体を上記回転盤に取着して上記刈払機を回動自在に保持させ、横伐使用状態では、上記枠体を上記支柱に取着して上記刈払機を固定して保持させるように構成されているものである。
【発明の効果】
【０００９】
本発明の植木剪定装置によれば、刈払機の重量を支柱によって支持でき、作業者の負担を軽減して、容易に剪定作業を行い得る。縦伐使用状態で、片手による操作で櫛状刃部を上下に振ることができ、疲れにくく、作業効率を著しく向上できる。高速道路や工場等の植木の剪定作業に於て、作業時間を短縮でき、かつ、植木の側面及び上面を美しく平面状に刈ることができる。作業の安全性が向上し、事故のリスクを低減できる。
【図面の簡単な説明】
【００１０】
【図１】本発明の植木剪定装置の縦伐使用状態を示した側面図である。
【図２】本発明の植木剪定装置の縦伐使用状態を示した背面図である。
【図３】横伐使用状態を示した側面図である
【図４】横伐使用状態を示した側面図である。
【図５】断面平面図である。
【図６】断面平面図である。
【図７】搬送手段を示した断面背面図である。
【図８】搬送手段を示した断面側面図である。
【発明を実施するための形態】
【００１１】
以下、実施の形態を示す図面に基づき本発明を詳説する。
図１と図２に示すように、本発明の植木剪定装置は、左右方向走行自在の搬送手段３と、搬送手段３に搭載された一対の支柱１，１と、支柱１，１に上下位置調整自在に保持される取付手段１０とを、備えている。また、櫛状刃部１６を突出状に有する動力付き刈払機５を、取付手段１０に保持させている。
【００１２】
図１と図２では、取付手段１０が刈払機５を回動自在として保持し、櫛状刃部１６が前後方向水平軸心Ｌ廻りに揺動操作可能とされた植木側面剪定用の縦伐使用状態としている。一方、図３と図４では、刈払機５を固定して、櫛状刃部１６が前方水平突出状に保持された植木上面剪定用の横伐使用状態としている。即ち、取付手段１０は、図１と図２に示す縦伐使用状態と、図３と図４に示す横伐使用状態とに、切替可能として構成されている。
【００１３】
支柱１，１は、搬送手段３に前後位置調整自在として保持されている。
支柱１，１は、長尺の金属パイプから成り、上下方向に等ピッチで複数の小孔１２が貫設されている。小孔１２の上下ピッチは設計変更可能であるが、好ましくは１００ｍｍとする。図６と図７に示すように、支柱１，１は、下端部が矩形状の被挟着板１１に固着され相互に連結されている。
搬送手段３は、樹脂製のベース盤３０を有し、ベース盤３０の幅寸法ｗ１は、被挟着板１１の幅寸法ｗ０よりも３倍〜４倍大きくなるように設定されている。ベース盤３０の下部には、４つのキャスター３１，３１が着脱自在に取付けられ、図例では、台車として使用されている。ベース盤３０の上部には、被挟着板１１の両端部を押え込んで固定するための押え板３２，３２が複数の締付ボルト３３をもって取着されている。ベース盤３０の左右一端部３０Ａは、上方に反った形状とし、下部のキャスター３１，３１を取り外せば、雪の上を滑るソリとしての使用が可能である。また、ベース盤３０には、一対のガイドローラ３４，３４が付設されており、道路の縁石やブロック塀に沿って走行する際、ガイドローラ３４，３４が転動して走行を案内するように構成されている。
つまり、図１に示す縦伐使用状態に於て、搬送手段３上で支柱１，１の前後位置を調整することで、刈払機５を植木に接近・離間させることができる。
【００１４】
図１と図２に示すように、支柱１，１を支持する傾倒防止用の傾斜状フレーム体２を有している。傾斜状フレーム体２は、長さ寸法調節自在として構成されている。
傾斜状フレーム体２は、支柱１，１の上端部に架け渡した橋絡杆１３に枢結され、支柱１，１に対して揺動自在である。傾斜状フレーム体２は、下端部近傍に捩れ防止用の補強部材２３を付設しており、補強部材２３と支柱１，１を、交差状に配設した２本の棒状部材２４，２４をもって連結している。傾斜状フレーム体２は、下端部に脚台部２０を有し、脚台部２０には、前後一対の車輪２１，２１が取付けられている。脚台部２０には、平坦な載置面２０Ａが形成され、載置面２０Ａに図示省略のウェイトを積載すれば、支柱１，１をより安定して支持できる。また、傾斜状フレーム体２は、長さ寸法調節のための左右一対の伸縮機構２２，２２を備えている。伸縮機構２２は、調節レバー２２Ａの操作により伸長・短縮可能として構成されている。なお、支柱１，１及び傾斜状フレーム体２は、上下方向中間位置で分離可能として構成され、差込片を差込孔に挿入し、側方からボルト・ナット等で係止されている。支柱１，１及び傾斜状フレーム体２は、分解すれば、小型貨物自動車（軽トラック）での運搬が可能である。
【００１５】
取付手段１０は、支柱１，１を挟持する一対の板部材７Ａ，７Ｂと、前方の板部材７Ａに取着される回転盤８と、刈払機５を保持する枠体９とを、有し、図１、図２に示す縦伐使用状態では、枠体９を回転盤８に取着して刈払機５を回動自在に保持させ、図３、図４に示す横伐使用状態では、枠体９を支柱１，１に取着して刈払機５を固定して保持させるように構成されている。
図５に示すように、板部材７Ａ，７Ｂは、金属板又は合成樹脂製板から成り、雄ネジ部を有する締付用軸部材１４が後方の板部材７Ｂに挿通され、かつ、軸部材１４は前方の板部材７Ａに固着されたナットに螺着されている。軸部材１４は、後端部が折曲げられて操作用レバー１４Ａとされ、レバー１４Ａを回転させることで、雄ネジ部がナットに螺進して板部材７Ａ，７Ｂが支柱１，１を締付けるように構成されている。軸部材１４には、外鍔部１４Ｂが形成され、後方の板部材７Ｂには、外鍔部１４Ｂが当接する補強部１７が形成されている。後方の板部材７Ｂは、支柱１，１に当接する圧接パッド１５，１５が取着されている。前方の板部材７Ａは、支柱１，１間に差込まれる上下方向の案内片１８，１８が突設されている。
図２に示すように、板部材７Ａの上部には滑車１９が取付けられ、かつ、支柱１，１の上端部に架け渡した橋絡杆１３の下部にも滑車２９が取付けられている。この２つの滑車１９，２９には、一端が橋絡杆１３に固着されたワイヤー２５が挿通され、ワイヤー２５の他端を、支柱１の小孔１２の内の１つに係止して、取付手段１０の降下を防止している。
【００１６】
回転盤８は、可動板８Ａと固定板８Ｂとの間にリテーナに保持された複数個の球体８Ｃを介装し、可動板８Ａが回動自在として構成されている。
図１に示すように、枠体９は、回転盤８の可動板８Ａに取着される第１取付板９Ａと、刈払機５に取着される第２取付板９Ｂと、第１取付板９Ａと第２取付板９Ｂの側端縁同士を連結する連結杆９Ｃとを、有している。連結杆９Ｃには、２５ｍｍピッチでネジ孔が形成されている。なお、図示省略するが、枠体９は、幅木を介して回転盤８に取着しても良い。
刈払機５は、園芸用のバリカンであって、本体部６に駆動部を内有している。櫛状刃部１６は、２枚のバリカンブレード４，４から成り、駆動部によってバリカンブレード４，４を往復動させ、植木を刈り取る。本体部６には、アクセルレバー２６を有する把持部２７を設け、かつ、ハンドル部２８が付設されている。
【００１７】
図３に示す横伐使用状態では、枠体９は、回転盤８から取り外されて、支柱１，１間に固定して保持されている。刈払機５は、櫛状刃部１６が水平面に沿うように保持されて、植木上面の枝葉を剪定する。
図４では、刈払機５が第２取付板９Ｂから取り外され、補助板３５を介して枠体９に取着されている。補助板３５によって、刈払機５が支柱１，１の前方に保持され、植木上面奥部を剪定可能となる。
【００１８】
図８に示すように、搬送手段３は、樹脂製のベース盤３０の下部に、一対の垂下脚片４１，４１から成る単軌走行ユニット４０を取着して、ブロック塀の上を走行させることもできる。垂下脚片４１は、ブロック塀の上面に当接して転動する支持輪４２と、ブロック塀の側面に当接して転動するガイド輪４３とを、備えている。垂下脚片４１，４１は、ベース盤３０にボルト・ナットで固定され、１００ｍｍ〜１５０ｍｍのブロック塀の幅に対応して取付けることができる。
【００１９】
上述した本発明の植木剪定装置の使用方法（作用）について説明する。
図１に示すように、支柱１，１の上下方向中間位置に取付手段１０を停止保持させ、刈払機５を回動自在として取着する。搬送手段３をブロック塀の側面に沿わせて走行させ、刈払機５のアクセルレバー２６を握って把持部２７を操作し、櫛状刃部１６を上下に揺動させる。この際、片手で刈払機５の揺動操作を行い、もう片方の手で支柱１を押して搬送手段３を走行させる。搬送手段３は、ガイドローラ３４がブロック塀の側面に当接して転動し、支柱１，１が振れないようにスムーズに走行する。
【００２０】
図２に示すように、刈払機５は、櫛状刃部１６を上下に振りながら左右方法に搬送され、植木側面を帯状に剪定する。搬送手段３は、ブロック塀や縁石を基準として真っ直ぐに走行し、刈払機５が前後にブレない為、植木側面にデコボコが形成されることが少なく平面状に美しく仕上がる。搬送手段３の締付ボルト３３を緩めて、支柱１，１を前後に移動させ、植木側面の前後位置の変化に対応させる。次に、操作用レバー１４Ａを緩めて取付手段１０の上下位置を調整し刈払機５を上下に移動させ、植木側面全面が剪定されるまで、この作業を繰り返す。
【００２１】
次に、図３に示すように、枠体９を回転盤８から取り外し、支柱１，１間に固定して、櫛状刃部１６が前方水平突出状となるように刈払機５を保持させる。こうして、刈払機５のアクセルレバー２６を握り、搬送手段３を基準に沿って走行させ、刈払機５が植木上面を水平面状に剪定する。この際、アクセルレバー２６の操作は、長尺の操作杆を用いて、地上から遠隔にて操作しても良い。なお、刈払機５は、枠体９の上下取付位置を調整して、櫛状刃部１６を２５ｍｍ毎に上下方向の任意の位置にて保持することができ、植木の生長に対応して短いピッチで位置を設定することができる。
次に、図４に示すように、一旦、刈払機５を第２取付板９Ｂから取り外し、補助板３５を介して枠体９に取着して、刈払機５を支柱１，１の前方に保持させる。こうして、刈払機５のアクセルレバー２６を（遠隔で）操作しつつ搬送手段３を走行させ、植木上面奥部を剪定する。
【００２２】
なお、雪面や軟らかい砂地の上で搬送手段３を走行させる場合には、キャスター３１，３１を取外し、搬送手段３をソリのように滑らせて使用することもできる。また、植木の背が高い場合やブロック塀の側面に沿っての走行が困難である場合には、単軌走行ユニット４０を取付けて、ブロック塀の上を走行させるも望ましい。搬送手段３の使用変更に対応して、傾斜状フレーム体２の伸縮機構２２を操作して長さ寸法を調節し、車輪２１を路面にて走行させる。
【００２３】
なお、本発明は、設計変更可能であって、図示省略するが、取付手段１０は、左右方向水平軸心廻りに回動自在として支柱１，１に取着しても良い。この場合、取付手段１０は、枠体９を回転盤８に取着したままで、縦伐使用状態と横伐使用状態とに切替可能として構成される。また、枠体９を省略し、刈払機５の本体部６に取付用のネジ孔を複数形成して、直接に回転盤８に取着できる構造とするも好ましい。
【００２４】
以上のように、本発明に係る植木剪定装置は、左右方向走行自在の搬送手段３と、搬送手段３に搭載された一対の支柱１，１と、支柱１，１に上下位置調整自在に保持される取付手段１０とを、備え、櫛状刃部１６を突出状に有する動力付き刈払機５を、取付手段１０に保持させ、取付手段１０は、刈払機５を回動自在とし櫛状刃部１６が前後方向水平軸心Ｌ廻りに揺動操作可能とされた植木側面剪定用の縦伐使用状態と、刈払機５を固定し櫛状刃部１６が前方水平突出状に保持された植木上面剪定用の横伐使用状態とに、切替可能として構成されたので、刈払機５の重量を支柱１，１によって支持でき、作業者の負担を軽減して、容易に剪定作業を行い得る。縦伐使用状態で、片手による操作で櫛状刃部１６を上下に振ることができ、疲れにくく、作業効率を著しく向上できる。高速道路や工場等の植木の剪定作業に於て、人手による剪定作業の５倍〜１０倍の速さで植木を刈ることができ、作業時間を短縮でき、かつ、植木の側面及び上面を美しく平面状に刈ることができる。既存の刈払機５を使用することができ、コストを削減できる。作業の安全性が向上し、事故のリスクを低減できる。
【００２５】
また、支柱１，１は、搬送手段３に前後位置調整自在として保持されているので、搬送手段３の走行の基準となるブロック塀や縁石の位置の変化や植木の生長に対応して、刈払機５を植木に接近・離間させることができる。
【００２６】
また、支柱１，１を支持する傾倒防止用の傾斜状フレーム体２を有し、傾斜状フレーム体２は、長さ寸法調節自在として構成されているので、エンジンを内蔵し重量の大きい刈払機５を保持する支柱１，１を傾倒させることなく支持でき、搬送手段３の仕様変更に対応して、簡単に傾斜状フレーム体２の長さ寸法を適応させることができる。
【００２７】
また、取付手段１０は、支柱１，１を挟持する一対の板部材７Ａ，７Ｂと、前方の板部材７Ａに取着される回転盤８と、刈払機５を保持する枠体９とを、有し、縦伐使用状態では、枠体９を回転盤８に取着して刈払機５を回動自在に保持させ、横伐使用状態では、枠体９を支柱１，１に取着して刈払機５を固定して保持させるように構成されているので、縦伐使用状態と横伐使用状態との切替えを容易かつ迅速に行うことができる。また、簡素な構造で、製造コストを低く抑えることができる。
【符号の説明】
【００２８】
１  支柱
２  傾斜状フレーム体
３  搬送手段
５  刈払機
７Ａ，７Ｂ  板部材
８  回転盤
９  枠体
１０  取付手段
１６  櫛状刃部
Ｌ  水平軸心
【図１】
2015029459.tif 000003
【図２】
2015029459.tif 000004
【図３】
2015029459.tif 000005
【図４】
2015029459.tif 000006
【図５】
2015029459.tif 000007
【図６】
2015029459.tif 000008
【図７】
2015029459.tif 000009
【図８】
2015029459.tif 000010